(57)【要約】【課題】  エネルギー使用量を正しく算出できるエネルギー管理装置、エネルギー管理システム、及びエネルギー管理方法を提供する。【解決手段】  ＥＭＳ２００は、受信したパルスの数に、１パルス当たりのエネルギー量であるパルスレートを乗じた値を、エネルギー使用量として算出する制御部２４０を備える。制御部２４０は、パルスレートが指定された場合であって、かつ、信号線１８３Ｓの本数と、指定されたパルスレートとの組み合わせが、信号線１８３Ｓの本数と、１本の信号線１８３Ｓを介して受信した１つのパルスが示すエネルギー量である基準パルスレートとの組み合わせである基準の組み合わせと異なる特定の組み合わせである場合に、指定されたパルスレートに代えて、基準パルスレートを前記エネルギー使用量の算出に使用する。【選択図】  図３
2014119833.tif 000002
【特許請求の範囲】
【請求項１】
所定本数の信号線を介してパルスを出力するメータを有するエネルギー管理システムにおいて、前記パルスを受信するエネルギー管理装置であって、
受信したパルスの数に、１パルス当たりのエネルギー量であるパルスレートを乗じた値を、エネルギー使用量として算出する制御部を備え、
前記制御部は、前記パルスレートが指定された場合であって、かつ、前記信号線の本数と、前記指定されたパルスレートとの組み合わせが、前記信号線の本数と、受信した１つのパルスが示すエネルギー量である基準パルスレートとの組み合わせである基準の組み合わせと異なる特定の組み合わせである場合に、前記指定されたパルスレートに代えて、前記基準パルスレートを前記エネルギー使用量の算出に使用することを特徴とするエネルギー管理装置。
【請求項２】
前記特定の組み合わせは、前記信号線の本数と、全ての信号線を介して同時に受信した複数のパルスが示すエネルギー量との組み合わせであることを特徴とする請求項１に記載のエネルギー管理装置。
【請求項３】
前記信号線の本数と前記パルスレートとの組み合わせを指定するための複数の選択肢とを表示する表示部をさらに備え、
前記複数の選択肢は、前記基準の組み合わせを示す選択肢に加えて、前記特定の組み合わせを示す選択肢を含むことを特徴とする請求項２に記載のエネルギー管理装置。
【請求項４】
所定本数の信号線を介してパルスを出力するメータと、
前記パルスを受信するエネルギー管理装置とを備えるエネルギー管理システムであって、
前記エネルギー管理装置は、受信したパルスの数に、１パルス当たりのエネルギー量であるパルスレートを乗じた値を、エネルギー使用量として算出する制御部を備え、
前記制御部は、前記パルスレートが指定された場合であって、かつ、前記信号線の本数と、前記指定されたパルスレートとの組み合わせが、前記信号線の本数と、１本の信号線を介して受信した１つのパルスが示すエネルギー量である基準パルスレートとの組み合わせである基準の組み合わせと異なる特定の組み合わせである場合に、前記指定されたパルスレートに代えて、前記基準パルスレートを前記エネルギー使用量の算出に使用することを特徴とするエネルギー管理システム。
【請求項５】
所定本数の信号線を介してパルスを出力するメータを有するエネルギー管理システムにおいて、前記パルスを受信するエネルギー管理装置に適用されるエネルギー管理方法であって、
受信したパルスの数に、１パルス当たりのエネルギー量であるパルスレートを乗じた値を、エネルギー使用量として算出するステップとを備え、
前記算出ステップにおいて、前記パルスレートが指定された場合であって、かつ、前記信号線の本数と、前記指定されたパルスレートとの組み合わせが、前記信号線の本数と、１本の信号線を介して受信した１つのパルスが示すエネルギー量である基準パルスレートとの組み合わせである基準の組み合わせと異なる特定の組み合わせである場合に、前記指定されたパルスレートに代えて、前記基準の組み合わせに含まれるパルスレートを前記エネルギー使用量の算出に使用することを特徴とするエネルギー管理方法。
【発明の詳細な説明】
【技術分野】
【０００１】
本発明は、エネルギー使用量を管理するエネルギー管理装置、エネルギー管理システム、及びエネルギー管理方法に関する。
【背景技術】
【０００２】
近年、系統電力の需要家におけるエネルギー使用量を管理するエネルギー管理装置が知られている（例えば、特許文献１）。特に、住宅用のエネルギー管理装置は、ＨＥＭＳ（Ｈｏｍｅ  Ｅｎｅｒｇｙ  Ｍａｎａｇｅｍｅｎｔ  Ｓｙｓｔｅｍ）と称される。
【０００３】
また、エネルギー管理装置が、パルス信号発信器を備える計量器（以下、「メータ」）を用いて、需要家におけるエネルギー使用量を管理する手法が知られている。このようなメータは、所定量のエネルギー（以下、「単位エネルギー量」）を検出する度に、１つのパルスを出力する（例えば、特許文献２）。
【０００４】
エネルギー管理装置は、メータから受信したパルスの数（受信パルス数）に、１パルス当たりのエネルギー量（パルスレート）を乗じた値を、エネルギー使用量として算出する。
【先行技術文献】
【特許文献】
【０００５】
【特許文献１】特開２０１１−１２９０８５号公報
【特許文献２】特開２００８−２２４３９０号公報
【発明の概要】
【発明が解決しようとする課題】
【０００６】
ところで、メータは、信号線及び接地線を含む複数の配線と接続されるが、エネルギー管理装置におけるパルス受信数は、メータと接続される信号線の本数によって異なる。そこで、エネルギー管理装置は、パルスレートに代えて、パルスレートを信号線の本数に応じて読み替えた数値を用いて、エネルギー使用量を算出することもできる。しかしながら、メータの仕様書においては、パルスレートとして、単位エネルギー量をそのまま記載したものと、単位エネルギー量を信号線の本数に応じて読み替えた値を記載したものとが混在している。
【０００７】
従って、仕様書に記載されたパルスレートをエネルギー管理装置に設定すると、エネルギー管理装置がエネルギー使用量を正しく算出できない場合がある。
【０００８】
そこで、本発明は、エネルギー使用量を正しく算出できるエネルギー管理装置、エネルギー管理システム、及びエネルギー管理方法を提供することを目的とする。
【課題を解決するための手段】
【０００９】
第１の特徴に係るエネルギー管理装置は、所定本数の信号線を介してパルスを出力するメータを有するエネルギー管理システムにおいて、前記パルスを受信する。エネルギー管理装置は、受信したパルスの数に、１パルス当たりのエネルギー量であるパルスレートを乗じた値を、エネルギー使用量として算出する制御部を備える。前記制御部は、前記パルスレートが指定された場合であって、かつ、前記信号線の本数と、前記指定されたパルスレートとの組み合わせが、前記信号線の本数と、受信した１つのパルスが示すエネルギー量である基準パルスレートとの組み合わせである基準の組み合わせと異なる特定の組み合わせである場合に、前記指定されたパルスレートに代えて、前記基準パルスレートを前記エネルギー使用量の算出に使用する。
【００１０】
第１の特徴において、前記特定の組み合わせは、前記信号線の本数と、全ての信号線を介して同時に受信した複数のパルスが示すエネルギー量との組み合わせである。
【００１１】
第１の特徴において、前記信号線の本数と前記パルスレートとの組み合わせを指定するための複数の選択肢とを表示する表示部をさらに備え、前記複数の選択肢は、前記基準の組み合わせを示す選択肢に加えて、前記特定の組み合わせを示す選択肢を含む。
【００１２】
第２の特徴に係るエネルギー管理システムは、所定本数の信号線を介してパルスを出力するメータと、前記パルスを受信するエネルギー管理装置とを備える。エネルギー管理装置は、受信したパルスの数に、１パルス当たりのエネルギー量であるパルスレートを乗じた値を、エネルギー使用量として算出する制御部を備える。前記制御部は、前記パルスレートが指定された場合であって、かつ、前記信号線の本数と、前記指定されたパルスレートとの組み合わせが、前記信号線の本数と、１本の信号線を介して受信した１つのパルスが示すエネルギー量である基準パルスレートとの組み合わせである基準の組み合わせと異なる特定の組み合わせである場合に、前記指定されたパルスレートに代えて、前記基準パルスレートを前記エネルギー使用量の算出に使用する。
【００１３】
第３の特徴に係るエネルギー管理方法は、所定本数の信号線を介してパルスを出力するメータを有するエネルギー管理システムにおいて、前記パルスを受信するエネルギー管理装置に適用されるエネルギー管理方法である。エネルギー管理方法は、受信したパルスの数に、１パルス当たりのエネルギー量であるパルスレートを乗じた値を、エネルギー使用量として算出するステップとを備え、前記算出ステップにおいて、前記パルスレートが指定された場合であって、かつ、前記信号線の本数と、前記指定されたパルスレートとの組み合わせが、前記信号線の本数と、１本の信号線を介して受信した１つのパルスが示すエネルギー量である基準パルスレートとの組み合わせである基準の組み合わせと異なる特定の組み合わせである場合に、前記指定されたパルスレートに代えて、前記基準の組み合わせに含まれるパルスレートを前記エネルギー使用量の算出に使用する。
【発明の効果】
【００１４】
本発明によれば、エネルギー使用量を正しく算出できるエネルギー管理装置、エネルギー管理システム、及びエネルギー管理方法を提供することができる。
【図面の簡単な説明】
【００１５】
【図１】図１は、本実施形態に係るエネルギー管理システムを示す図である。
【図２】図２は、本実施形態に係るメータを示す図である。
【図３】図３は、本実施形態に係るＥＭＳを示すブロック図である。
【図４】図４は、本実施形態に係るＥＭＳの記憶部に記憶されるテーブルを示す図である。
【図５】図５は、本実施形態に係る表示部における表示の一例を示す図である。
【図６】図６は、本実施形態に係るエネルギー管理方法を示すフロー図である。
【発明を実施するための形態】
【００１６】
以下において、本発明の実施形態に係るエネルギー管理システム、管理装置、及びエネルギー管理方法について、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
実施形態に係るエネルギー管理装置は、所定本数の信号線を介してパルスを出力するメータを有するエネルギー管理システムにおいて、前記パルスを受信する。エネルギー管理装置は、受信したパルスの数に、１パルス当たりのエネルギー量であるパルスレートを乗じた値を、エネルギー使用量として算出する制御部を備える。前記制御部は、前記パルスレートが指定された場合であって、かつ、前記信号線の本数と、前記指定されたパルスレートとの組み合わせが、前記信号線の本数と、受信した１つのパルスが示すエネルギー量である基準パルスレートとの組み合わせである基準の組み合わせと異なる特定の組み合わせである場合に、前記指定されたパルスレートに代えて、前記基準パルスレートを前記エネルギー使用量の算出に使用する。
【００１９】
これによって、エネルギー使用量を正しく算出できるエネルギー管理装置、エネルギー管理システム、及びエネルギー管理方法を提供することができる。
【００２０】
［本実施形態］
（エネルギー管理システム）
以下において、本実施形態に係るエネルギー管理システムについて説明する。図１は、本実施形態に係るエネルギー管理システム１００を示す図である。
【００２１】
図１に示すように、エネルギー管理システム１００は、分電盤１１０と、負荷１２０と、ＰＶ装置１３０と、蓄電池装置１４０と、燃料電池装置１５０と、貯湯装置１６０と、メータ１８０と、ＥＭＳ２００と、表示装置２５５とを有する。各機器は、任意の順で電力線に接続されてよい。
【００２２】
分電盤１１０は、系統に接続されている。分電盤１１０は、電力線を介して、負荷１２０、ＰＶ装置１３０、蓄電池装置１４０及び燃料電池装置１５０に接続されている。
【００２３】
負荷１２０は、電力線を介して供給を受ける電力を消費する装置である。例えば、負荷１２０は、冷蔵庫、冷凍庫、照明、エアコンなどの装置を含む。
【００２４】
ＰＶ装置１３０は、ＰＶ１３１と、ＰＣＳ１３２とを有する。ＰＶ１３１は、発電装置の一例であり、太陽光の受光に応じて発電を行う太陽光発電装置である。ＰＶ１３１は、発電されたＤＣ電力を出力する。ＰＶ１３１の発電量は、ＰＶ１３１に照射される日射量に応じて変化する。ＰＣＳ１３２は、ＰＶ１３１から出力されたＤＣ電力をＡＣ電力に変換する装置（Ｐｏｗｅｒ  Ｃｏｎｄｉｔｉｏｎｉｎｇ  Ｓｙｓｔｅｍ）である。ＰＣＳ１３２は、電力線を介してＡＣ電力を分電盤１１０に出力する。
【００２５】
蓄電池装置１４０は、蓄電池１４１と、ＰＣＳ１４２とを有する。蓄電池１４１は、電力を蓄積する装置である。ＰＣＳ１４２は、配電線３１（系統）から供給を受けるＡＣ電力をＤＣ電力に変換する装置（Ｐｏｗｅｒ  Ｃｏｎｄｉｔｉｏｎｉｎｇ  Ｓｙｓｔｅｍ）である。また、ＰＣＳ１４２は、蓄電池１４１から出力されたＤＣ電力をＡＣ電力に変換する。
【００２６】
燃料電池装置１５０は、燃料電池１５１と、ＰＣＳ１５２とを有する。燃料電池１５１は、発電装置の一例であり、燃料ガスを利用して電力を出力する装置である。燃料電池１５１は、例えば、ＳＯＦＣ（Ｓｏｌｉｄ  Ｏｘｉｄｅ  Ｆｕｅｌ  Ｃｅｌｌ）であってもよく、ＰＥＦＣ（Ｐｏｌｙｍｅｒ  Ｅｌｅｃｔｒｏｌｙｔｅ  Ｆｕｅｌ  Ｃｅｌｌ）であってもよい。ＰＣＳ１５２は、燃料電池１５１から出力されたＤＣ電力をＡＣ電力に変換する装置（Ｐｏｗｅｒ  Ｃｏｎｄｉｔｉｏｎｉｎｇ  Ｓｙｓｔｅｍ）である。
【００２７】
貯湯装置１６０は、電力を熱に変換し、変換された熱を湯として蓄積したり、燃料電池装置１５０等のコージェネレーション機器が発生する熱を湯として蓄えたりする蓄熱装置の一例である。具体的には、貯湯装置１６０は、貯湯槽を有しており、燃料電池１５１の運転（発電）によって生じる排熱によって、貯湯槽から供給される水を温める。詳細には、貯湯装置１６０は、貯湯槽から供給される水を温めて、温められた湯を貯湯槽に還流する。
【００２８】
メータ１８０は、需要家におけるエネルギー使用量を計量する機器である。メータ１８０は、単位エネルギー量に相当するエネルギーを検出すると、ＥＭＳ２００にパルスを出力する。例えば、メータ１８０は、ガス使用量を計量するためのガスメータである。あるいは、エネルギーを、生活又は生産に必要な資源として解釈する場合、メータ１８０は、水道使用量を計量するための水道メータであってもよい。
【００２９】
ＥＭＳ２００は、エネルギー管理装置の一例であり、ＰＶ装置１３０、蓄電池装置１４０、燃料電池装置１５０及び貯湯装置１６０を制御する装置（Ｅｎｅｒｇｙ  Ｍａｎａｇｅｍｅｎｔ  Ｓｙｓｔｅｍ）である。具体的には、ＥＭＳ２００は、ＰＶ装置１３０、蓄電池装置１４０、燃料電池装置１５０及び貯湯装置１６０に信号線を介して接続されている。ＥＭＳ２００は、ＰＶ装置１３０、蓄電池装置１４０、燃料電池装置１５０及び貯湯装置１６０を、Ｅｃｈｏｎｅｔ  ＬｉｔｅあるいはＺｉｇ  Ｂｅｅ（登録商標）などの通信プロトコルに準拠した信号を用いて制御する。
【００３０】
また、ＥＭＳ２００は、メータ１８０が計量したエネルギー使用量を管理する。具体的には、ＥＭＳ２００は、メータ１８０が信号線を介して出力したパルスを受信し、受信したパルスに基づいてエネルギー使用量を算出する。
【００３１】
表示装置２５５は、ＥＭＳ２００と接続されており、ＥＭＳ２００に格納された各種情報をアプリケーションによって可視化して表示する。ＥＭＳ２００と表示装置２５５との接続形式は、有線であってもよく、無線であってもよい。また、表示装置２５５は、ユーザの入力を受け付けるタッチパネル等であってもよい。このようなケースにおいては、ユーザは、ＥＭＳ２００に接続された装置を制御するための情報を、表示装置２５５を介して入力し、表示装置２５５は、ユーザが入力した制御情報を、ＥＭＳ２００に送信する。
【００３２】
（メータ及びＥＭＳの構成）
以下において、本実施形態に係るメータ及びＥＭＳについて説明する。図２は、本実施形態に係るメータ１８０の構成を示す図である。図３は、ＥＭＳ２００を示すブロック図である。図４は、本実施形態に係るＥＭＳ２００の記憶部２２０に記憶されるテーブルを示す図である。
【００３３】
まず、メータ１８０の構成について説明する。図２に示すように、メータ１８０は、メータ本体部１８１と、パルス発信器１８２とを有する。また、メータ１８０は、複数の配線１８３と接続されている。
【００３４】
メータ本体部１８１は、エネルギーを伝達する配管１８０Ｐに設けられる。以下、エネルギーとしてガスを、メータ１８０としてガスメータを例に説明する。
【００３５】
メータ本体部１８１は、マグネット式等の流量信号発生器を有する。流量信号発生器は、配管１８０Ｐ（ガス管）を流れるガスを検出すると作動して、パルス発信器１８２に流量信号を出力する。パルス発信器１８２は、入力された流量信号を積算し、積算値が単位流量（単位エネルギー量）に達すると、複数の配線１８３を介して、パルスを出力する。単位流量は、メータ毎に設定されている。
【００３６】
複数の配線１８３は、信号線１８３Ｓと接地線１８３Ｇとを含む。例えば、複数の配線１８３は、１本の接地線１８３Ｇと、１本又は複数本の信号線１８３Ｓとを含む。具体的には、１本の信号線１８３Ｓと１本の接地線１８３Ｇと接続されるメータを、２線式メータといい、２本の信号線１８３Ｓと１本の接地線１８３Ｇと接続されるメータを、３線式メータという。パルス発信器１８２が出力したパルスは、信号線１８３Ｓによって伝達される。
【００３７】
ここで、パルス発信器１８２がパルスを出力すると、信号線１８３Ｓの本数に応じた数のパルスが、信号線１８３Ｓを伝達されることに留意すべきである。換言すると、２線式メータが単位流量に相当するガスを検出し、１つのパルスを出力した場合、ＥＭＳ２００におけるパルス受信数は１つである。一方、３線式メータが単位流量に相当するガスを検出し、１つのパルスを出力した場合、ＥＭＳ２００におけるパルス受信数は２つとなる。つまり、ＥＭＳ２００のパルス受信数は、メータ１８０に接続された信号線１８３Ｓの本数がｎ本（ｎ≧２）の場合、メータ１８０が出力したパルス数のｎ倍となる。
【００３８】
ところで、メータ１８０の仕様書においては、１パルス当たりの流量が、パルスレートとして記載される。一般的には、メータ１８０が出力する１パルス当たりの流量（すなわち、単位流量）が、パルスレートとして記載される。一方で、メータ１８０の仕様書において、ＥＭＳ２００がメータ１８０から受信した１パルス当たりの流量が、パルスレートとして記載されるケースも存在することに留意すべきである。
【００３９】
次に、ＥＭＳ２００の構成について説明する。図３に示すように、ＥＭＳ２００は、通信部２１０と、記憶部２２０と、パルス受信部２３０と、制御部２４０と、表示部２５０とを有する。
【００４０】
通信部２１０は、接続された装置との間で信号線を介して各種信号を送受信する。例えば、通信部２１０は、ＰＶ１３１の発電量を示す情報をＰＶ装置１３０から受信してもよい。通信部２１０は、蓄電池１４１の蓄電量Ｖを示す情報を蓄電池装置１４０から受信してもよい。通信部２１０は、燃料電池１５１の発電量を示す情報を燃料電池装置１５０から受信してもよい。通信部２１０は、貯湯装置１６０の貯湯量を示す情報を貯湯装置１６０から受信してもよい。通信部２１０は、例えば、表示装置２５５がタッチパネルである場合には、表示装置２５５を介してユーザが入力した情報を、表示装置２５５から受信してもよい。また、通信部２１０は、例えば、ＰＶ装置１３０、蓄電池装置１４０、燃料電池装置１５０及び貯湯装置１６０を制御するための信号を、各装置に送信する。
【００４１】
記憶部２２０は、通信部２１０が受信した情報を記憶する。また、記憶部２２０は、接続された装置を制御するために制御部２４０が設定した制御情報を記憶する。
【００４２】
図４に示すように、記憶部２２０は、パルスレートについての情報を記憶するテーブルを有する。具体的には、記憶部２２０は、メータ種別と、単位流量と、信号線の本数と、基準パルスレートとを、関連付けて記憶する。メータ種別は、メータが計量するエネルギーの種類（例えば、ガス又は水道）を識別する情報である。単位流量は、例えば、ガスメータの場合は、１０Ｌ、１００Ｌ、又は１０００Ｌであり、水道メータの場合は、１Ｌ、１０Ｌ、又は１００Ｌである。信号線の本数は、配線１８３の本数から接地線１８３Ｇの本数（例えば、１本）を差し引いた数値である。基準パルスレートは、詳しくは後述するが、単位流量を信号線の本数で除算した数値である。
【００４３】
パルス受信部２３０は、メータ１８０が信号線１８３Ｓを介して出力したパルスを受信する。
【００４４】
制御部２４０は、負荷１２０、ＰＶ装置１３０、蓄電池装置１４０、燃料電池装置１５０、貯湯装置１６０、及び表示装置２５５を、Ｅｃｈｏｎｅｔ  Ｌｉｔｅ等の通信プロトコルに準拠した信号を用いて制御する。
【００４５】
また、本実施形態において、制御部２４０は、パルス受信部２３０が受信したパルスの数に、パルスレートを乗じて、ガス使用量（エネルギー使用量）を算出する。
【００４６】
制御部２４０は、ユーザ（又は設定業者）の入力を介して、メータ１８０の仕様書に記載されたパルスレートを取得し、ガス使用量の算出に用いる。ただし、前述したように、パルスレートは、メータ１８０が出力する１パルス当たりの流量（すなわち、単位流量）である場合と、メータ１８０から受信した１パルス当たりの流量である場合とが存在する。具体的には、２本の信号線１８３Ｓを備える３線式メータにおいて、単位流量が１０Ｌの場合、仕様書において、パルスレートが１０Ｌとして記載されるケースもあれば、パルスレートが５Ｌとして記載されるケースもある。前者のケースにおいては、パルス受信数にパルスレートを乗じると、実際のガス使用量の２倍の値が算出されてしまう。
【００４７】
そこで、制御部２４０は、記憶部２２０を参照し、信号線１８３Ｓの本数と基準パルスレートとの組み合わせである基準の組み合わせを取得する。基準パルスレートは、受信した１つのパルスが示す流量に相当し、パルス受信数を乗じることによって、ガス使用量の算出に用いることができる数値である。具体的には、基準パルスレートは、前述したように、単位流量を信号線の本数で除算した数値である。図４に示すテーブルにおいて、基準の組み合わせは、信号線の本数と、対応する基準パルスレートとの組み合わせに相当する。制御部２４０は、指定された信号線１８３Ｓの本数と、指定されたパルスレートとの組み合わせ（以下、「指定された組み合わせ」という）を、基準の組み合わせと比較する。指定された組み合わせが基準の組み合わせと一致する場合、制御部２４０は、指定されたパルスレートと、パルス受信数とを乗じて、ガス使用量を算出する。
【００４８】
指定された組み合わせが基準の組み合わせと異なる場合、制御部２４０は、指定された組み合わせと特定の組み合わせとを比較する。特定の組み合わせとは、信号線１８３Ｓの本数と、全ての信号線１８３Ｓを介して同時に受信した複数のパルスが示す流量（すなわち、メータ１８０が出力するパルス１つ当たりの単位流量）との組み合わせに相当する。図４に示すテーブルにおいて、特定の組み合わせは、信号線の本数と、対応する単位流量との組み合わせに相当する。指定された組み合わせが特定の組み合わせと一致する場合、制御部２４０は、指定されたパルスレートに代えて、基準パルスレートと、パルス受信数とを乗じて、ガス使用量を算出する。
【００４９】
表示部２５０は、前述した表示装置２５５と同様の機能を有する。表示部２５０は、記憶部２２０に格納された各種情報を、アプリケーションによって可視化して表示する。表示部２５０は、ユーザの入力を受け付けるタッチパネルであってもよい。このようなケースにおいては、ユーザは、ＥＭＳ２００に接続された装置を制御するための情報を、表示部２５０を介して入力してもよい。
【００５０】
（表示部）
図５は、本実施形態における、表示部における表示の一例を示す。本実施形態において、表示部２５０は、信号線１８３Ｓの本数とパルスレートとの組み合わせを指定するための複数の選択肢を表示する。
【００５１】
具体的には、図５（ａ）に示すように、表示部２５０は、配線１８３の本数を指定するための配線選択肢２５１と、パルスレートを指定するためのパルスレート選択肢２５２とを表示する。配線選択肢２５１は、１本の信号線１８３Ｓを含む２線式メータを指定するためのラジオボタン２５１ａと、２本の信号線１８３Ｓを含む３線式メータを指定するためのラジオボタン２５１ｂとを含む。表示部２５０は、配線選択肢２５１の中から、メータ１８０の配線１８３の本数に対応するラジオボタンを選択する操作を、ユーザから受け付ける。
【００５２】
図５（ｂ）に示すように、配線選択肢２５１の中からラジオボタン２５１ａが選択された場合、表示部２５０は、パルスレート選択肢２５２の中から、２線式メータに対応するプルダウンメニュー２５２ａを表示する。プルダウンメニュー２５２ａは、２線式メータに対応するパルスレートを選択するための選択肢を示す。表示部２５０は、プルダウンメニュー２５２ａの中から、メータ１８０の仕様書に記載されているパルスレートに対応する数値を選択する操作を、ユーザから受け付ける。
【００５３】
図５（ｃ）に示すように、配線選択肢２５１の中からラジオボタン２５１ｂが選択された場合、表示部２５０は、パルスレート選択肢２５２の中から、３線式メータに対応するプルダウンメニュー２５２ｂを表示する。プルダウンメニュー２５２ｂは、３線式メータに対応するパルスレートを選択するための選択肢を示す。ここで、メータ１８０の仕様書において、パルスレートとして単位流量が記載されているケースと、パルスレートとして基準パルスレートが記載されているケースとの両方に対応するために、プルダウンメニュー２５２ｂは、基準パルスレートに加えて、単位流量をも示すことに留意すべきである。表示部２５０は、プルダウンメニュー２５２ｂの中から、メータ１８０の仕様書に記載されているパルスレートに対応する数値を選択する操作を、ユーザから受け付ける。
【００５４】
制御部２４０は、表示部２５０が表示する配線選択肢２５１及びパルスレート選択肢２５２を介して指定された配線１８３の本数及びパルスレートを取得し、信号線１８３Ｓの本数とパルスレートとの指定された組み合わせを特定する。指定された組み合わせが基準の組み合わせと一致する場合、制御部２４０は、指定されたパルスレートと、パルス受信数とを乗じて、ガス使用量を算出する。指定された組み合わせが基準の組み合わせと異なり、かつ、特定の組み合わせと一致する場合、制御部２４０は、指定されたパルスレートに代えて、基準パルスレートと、パルス受信数とを乗じて、ガス使用量を算出する。
【００５５】
（エネルギー管理方法）
以下において、本実施形態に係るエネルギー管理方法について説明する。図６は、本実施形態に係るエネルギー管理方法を示すフロー図である。
【００５６】
ステップＳ１００において、ＥＭＳ２００は、信号線１８３Ｓの本数を指定する操作をユーザから受け付ける。次に、ステップＳ１１０において、ＥＭＳ２００は、パルスレートを指定する操作をユーザから受け付ける。信号線１８３Ｓの本数及びパルスレートは、表示部２５０が表示する複数の選択肢の中からのユーザによる選択に基づいて指定される。ただし、複数の選択肢の中からの選択に限らず、ユーザが信号線１８３Ｓの本数を示す値及びパルスレートを示す値を入力してもよい。
【００５７】
ステップＳ１２０において、ＥＭＳ２００は、指定された組み合わせが、基準の組み合わせと一致するか否かを判定する。判定結果が“ＹＥＳ”の場合、ＥＭＳ２００は、ステップＳ１３０の処理に進む。ステップＳ１３０において、ＥＭＳ２００は、指定されたパルスレートと、パルス受信数とを乗じて、エネルギー使用量（例えば、ガス使用量）を算出する。ステップＳ１２０において判定結果が“ＮＯ”の場合、ＥＭＳ２００は、ステップＳ１４０の処理に進む。ステップＳ１４０において、ＥＭＳ２００は、指定された組み合わせが、特定の組み合わせと一致するか否かを判定する。判定結果が“ＹＥＳ”の場合、ＥＭＳ２００は、ステップＳ１５０の処理に進む。ステップＳ１５０において、ＥＭＳ２００は、指定されたパルスレートに代えて、基準パルスレートと、パルス受信数とを乗じて、エネルギー使用量を算出する。ステップＳ１４０において判定結果が“ＮＯ”の場合、ＥＭＳ２００は、指定された信号線１８３Ｓの本数又はパルスレートのいずれかに誤りがあると判断し、処理を終了する。
【００５８】
以上説明したように、本実施形態では、ＥＭＳ２００は、受信したパルスの数に、１パルス当たりのエネルギー量であるパルスレートを乗じた値を、エネルギー使用量として算出する。ＥＭＳ２００は、パルスレートが指定された場合であって、かつ、信号線１８３Ｓの本数と、指定されたパルスレートとの組み合わせが、信号線１８３Ｓの本数と、１本の信号線１８３Ｓを介して受信した１つのパルスが示すエネルギー量である基準パルスレートとの組み合わせである基準の組み合わせと異なる特定の組み合わせである場合に、指定されたパルスレートに代えて、基準パルスレートをエネルギー使用量の算出に使用する。これによって、ＥＭＳ２００は、エネルギー使用量を正しく算出することができる。
【００５９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６０】
ＥＭＳ２００は、ＨＥＭＳ（Ｈｏｍｅ  Ｅｎｅｒｇｙ  Ｍａｎａｇｅｍｅｎｔ  Ｓｙｓｔｅｍ）であってもよく、ＳＥＭＳ（Ｓｔｏｒｅ  Ｅｎｅｒｇｙ  Ｍａｎａｇｅｍｅｎｔ  Ｓｙｓｔｅｍ）であってもよく、ＢＥＭＳ（Ｂｕｉｌｄｉｎｇ  Ｅｎｅｒｇｙ  Ｍａｎａｇｅｍｅｎｔ  Ｓｙｓｔｅｍ）であってもよく、ＦＥＭＳ（Ｆａｃｔｏｒｙ  Ｅｎｅｒｇｙ  Ｍａｎａｇｅｍｅｎｔ  Ｓｙｓｔｅｍ）であってもよい。
【００６１】
実施形態では、エネルギー管理システム１００は、負荷１２０、ＰＶ装置１３０、蓄電池装置１４０、燃料電池装置１５０及び貯湯装置１６０を有する。しかしながら、エネルギー管理システム１００は、少なくとも、負荷１２０と、ＰＶ装置１３０、蓄電池装置１４０、燃料電池装置１５０及び貯湯装置１６０の中のいずれかを有していればよい。
【００６２】
実施形態では、メータ１８０によって使用量を計量するエネルギーとして、ガス又は水道を例示した。しかしながら、メータ１８０は、電力使用量を計量するためのメータであってもよい。このようなケースにおいては、エネルギー管理システム１００は、メータ１８０を、例えば分電盤１１０に備えてもよい。
【００６３】
実施形態では、表示部２５０が、配線１８３の本数及びパルスレートを指定するための複数の選択肢を表示する。しかしながら、表示部２５０に代わり、表示装置２５５が、配線１８３の本数及びパルスレートを指定するための複数の選択肢を表示してもよい。
【００６４】
また、実施形態では、表示部２５０は、配線１８３の本数を選択するための複数の選択肢としてラジオボタン２５１ａ，２５１ｂを表示する。しかしながら、表示部２５０は、配線１８３の本数ではなく、信号線１８３Ｓの本数を選択するための複数の選択肢として、ラジオボタン２５１ａ，２５１ｂを表示してもよい。
【符号の説明】
【００６５】
１００…エネルギー管理システム、１１０…分電盤、１２０…負荷、１３０…ＰＶ装置、１３１…ＰＶ、１３２…ＰＣＳ、１４０…蓄電池装置、１４１…蓄電池、１４２…ＰＣＳ、１５０…燃料電池装置、１５１…燃料電池、１５２…ＰＣＳ、１６０…貯湯装置、１８０…メータ、１８０Ｐ…配管、１８１…メータ本体部、１８２…パルス発信器、１８３…配線、１８３Ｓ…信号線、１８３Ｇ…接地線、２００…ＥＭＳ、２１０…通信部、２２０…記憶部、２３０…パルス受信部、２４０…制御部、２５０…表示部、２５５…表示装置
【図１】
2014119833.tif 000003
【図２】
2014119833.tif 000004
【図３】
2014119833.tif 000005
【図４】
2014119833.tif 000006
【図５】
2014119833.tif 000007
【図６】
2014119833.tif 000008